(57)【要約】【課題】商品陳列作業を簡単に行える商品梱包箱を提供する。【解決手段】収納商品Ｇの出口方向への移動を阻止するように梱包箱１１内に配置されると共に両端部を梱包箱１１に止着された有端の商品保持ベルト１１ｇを備えるので、出口側の外蓋部１１ｆ及び内蓋部１１ｅを開放した後にこの開放口が斜め下を向きように梱包箱１１を傾けてから商品保持ベルト１１ｇの少なくとも一方の止着を解くことにより、商品保持ベルト１１ｇによって移動を阻止されていた収納商品Ｇを開放口に向かって滑動させて、商品Ｇ全体を梱包箱１１から排出して商品陳列棚ＳＢに載置することができる。【選択図】  図８
2004299721.tif 000002
【特許請求の範囲】
【請求項１】
複数の商品を同一向きで収納し、収納商品の側面と向き合う部分に開放可能な蓋部を備える商品梱包箱であって、
収納商品の蓋部方向への移動を阻止するように梱包箱内に配置されると共に両端部を梱包箱に止着された有端の商品保持ベルトを備える、
ことを特徴とする商品梱包箱。
【請求項２】
商品保持ベルトは少なくとも一端を梱包箱の外部に引き出され、引き出し部分を着脱可能な止め材によって梱包箱の外面に止着されている、
ことを特徴とする商品梱包箱。
【請求項３】
梱包箱内の収納商品下面と向き合う面に低摩擦抵抗の滑り促進材を備える、
ことを特徴とする請求項１または２に記載の商品梱包箱。
【請求項４】
梱包箱はその蓋部側に蓋部を取り外すための切取線を備える、
ことを特徴とする請求項１〜３の何れか１項に記載の商品梱包箱。
【発明の詳細な説明】
【０００１】
【発明の属する技術分野】
本発明は、缶入り飲料等の商品を商品陳列棚に陳列する際に有用な商品梱包箱に関する。
【０００２】
【従来の技術】
図１〜図３は従来の缶入り飲料用の梱包箱を示すもので、図１は梱包箱の斜視図、図２は図１の横断面図、図３は図２のａ−ａ線断面図である。
【０００３】
この梱包箱１は直方体形状を成し、商品Ｇの上下面と向き合う２つの面１ａ，１ｂと商品Ｇの側面と向き合う２つの面１ｃ，１ｄによって四角筒部分を構成し、商品Ｇの側面と向き合う他の２つの面に一対の内蓋部１ｅ及び外蓋部１ｆを備えている。
【０００４】
商品Ｇを収納する前の梱包箱１は一方の内蓋部１ｅ及び外蓋部１ｆが開放された状態にあり、商品Ｇは開放口を通じて同一向きとなるように収納される。所定本数（図中は２４本）の商品Ｇが収納された後は、開放側の内蓋部１ｅ及び外蓋部１ｆが順に閉じられて外蓋部１ｆが内蓋部１ｅに接着される。図示を省略したが、缶入り飲料以外の商品、例えば、瓶入り飲料やペットボトル入り飲料等の商品も同様の梱包形態が採用されている。
【０００５】
小売店には図１に示す梱包形態で商品が届けられるため、商品Ｇを販売するに際しては、図４に示すように、梱包箱１の一方の外蓋部１ｆ及び内蓋部１ｅを開放して、収納商品Ｇをオープンショーケース等の商品陳列棚に陳列しなければならない。
【０００６】
【特許文献１】
特開平５−１４１８５７号公報
【特許文献２】
特開２００２−２２３３１号公報
【０００７】
【発明が解決しようとする課題】
しかしながら、前記梱包箱１内の商品Ｇをオープンショーケース等の商品陳列棚に陳列するには、収納商品Ｇを手で取り出して商品陳列棚に載置する作業を繰り返す必要があり、とりわけ、陳列すべき商品の数及び種類が多い小売店にあっては前記の陳列作業に多大な労力と時間を必要とする。
【０００８】
本発明は前記事情に鑑みて創作されたもので、その目的とするところは、商品陳列作業を簡単に行える商品梱包箱を提供することにある。
【０００９】
【課題を解決するための手段】
前記目的を達成するため、本発明は、複数の商品を同一向きで収納し、収納商品の側面と向き合う部分に開放可能な蓋部を備える商品梱包箱であって、収納商品の蓋部方向への移動を阻止するように梱包箱内に配置されると共に両端部を梱包箱に止着された有端の商品保持ベルトを備える、ことをその主たる特徴とする。
【００１０】
この商品梱包箱によれば、梱包箱の蓋部側を開放した後にこの開放口が斜め下を向くように梱包箱を傾けてから商品保持ベルトの少なくとも一方の止着を解くと、商品保持ベルトによって移動を阻止されていた収納商品が開放口に向かって滑動し、商品全体が梱包箱から排出されて商品陳列棚に載置される。
【００１１】
本発明の前記目的とそれ以外の目的と、構成特徴と、作用効果は、以下の説明と添付図面によって明らかとなる。
【００１２】
【発明の実施の形態】
図５〜図７は本発明を適用した缶入り飲料用の梱包箱を示すもので、図５は梱包箱の斜視図、図６は図５の横断面図、図７は図６のｂ−ｂ線断面図である。
【００１３】
この梱包箱１１は直方体形状を成し、商品Ｇの上下面と向き合う２つの面１１ａ，１１ｂと商品Ｇの側面と向き合う２つの面１１ｃ，１１ｄによって四角筒部分を構成し、商品Ｇの側面と向き合う他の２つの面に一対の内蓋部１１ｅ及び外蓋部１１ｆを備えている。
【００１４】
また、梱包箱１１内には有端の商品保持ベルト１１ｇが配置されている。この商品保持ベルト１１ｇは可撓性と強度を有するプラスチックベルト等から成り、一端部を面１１ｃに設けた孔１１ｃ１を通じて外部に引き出され、引き出し部分を粘着テープ等の着脱可能な止め材１１ｈによって面１１ｃの外面に止着されると共に、他端部を面１１ｄに設けた孔１１ｄ１を通じて外部に引き出され、引き出し部分を粘着テープ等の着脱可能な止め材１１ｈによって面１１ｄの外面に止着されている。図６に示すように、各端部を面１１ｃ，１１ｄの外面に止着された商品保持ベルト１１ｇは、上から見た形状が略コ字形を成していて図中左側の商品Ｇを主として囲んでいる。また、図７に示すように、商品保持ベルト１１ｇは商品Ｇの高さ方向中央に位置するように配されていて、収納商品Ｇを支えるに十分な幅を有している。、
さらに、梱包箱１１は、一対の内蓋部１１ｅ及び外蓋部１１ｆのうち図６中左側の内蓋部１１ｅ及び外蓋部１１ｆが出口として利用されるものであるため、外蓋部１１ｆには出口であることを表示するための記号１１ｉが付されている。
【００１５】
商品Ｇを収納する前の梱包箱１１は、図６中左側の内蓋部１１ｅ及び外蓋部１１ｆが閉じられて外蓋部１１ｆが内蓋部１ｅに接着されており、図６中右側の内蓋部１１ｅ及び外蓋部１１ｆが開放された状態にあり、商品Ｇはこの開放口を通じて同一向きとなるように収納される。所定本数（図中は２４本）の商品Ｇが収納された後は、開放側の内蓋部１１ｅ及び外蓋部１１ｆが順に閉じられて外蓋部１１ｆが内蓋部１１ｅに接着される。
【００１６】
梱包箱１１内の商品Ｇをオープンショーケース等の商品陳列棚に陳列するに際しては、図８に示すように、出口として使用される側の外蓋部１１ｆ及び内蓋部１１ｅを開放する。この状態では、開放口が斜め下を向くように梱包箱１１を傾けても、収納商品Ｇの開放口方向への移動を商品保持ベルト１１ｇによって阻止することができる。
【００１７】
前記の梱包箱１１を利用して水平な商品陳列棚ＳＢに商品Ｇを載置するときには、図９及び図１０に示すように、出口として使用される側の外蓋部１１ｆ及び内蓋部１１ｅを開放した後にこの開放口が斜め下を向くように梱包箱１１を傾けながら商品陳列棚ＳＢ上に挿入する。そして、一方または両方の止め材１１を外して商品保持ベルト１１ｇの一端部または両端部の止着を解いて自由にさせ、梱包箱１１を傾斜状態のまま図中右側に移動させる。
【００１８】
これにより、商品保持ベルト１１ｇによって移動を阻止されていた収納商品Ｇが姿勢を維持したまま開放口に向かって滑動し、商品Ｇ全体が梱包箱１１から排出されて商品陳列棚ＳＢの所定位置に載置される。因みに、一端部または両端部を自由にされた商品保持ベルト１１ｇは商品Ｇの排出に従って梱包箱１１の外部に押し出される。
【００１９】
また、前記の梱包箱１１を利用して傾斜した商品陳列棚ＳＢに商品Ｇを載置するときには、図１１及び図１２に示すように、出口として使用される側の外蓋部１１ｆ及び内蓋部１１ｅを開放した後にこの開放口が斜め下を向くように梱包箱１１を傾けた状態で梱包箱１１の開放口下端を商品陳列棚ＳＢの端縁に位置合わせする。そして、一方または両方の止め材１１を外して商品保持ベルト１１ｇの一端部または両端部の止着を解いて自由にさせる。
【００２０】
これにより、商品保持ベルト１１ｇによって移動を阻止されていた収納商品Ｇが姿勢を維持したまま開放口に向かって滑動し、商品Ｇ全体が梱包箱１１から排出され、さらに商品陳列棚ＳＢ上を滑動して商品陳列棚ＳＢの所定位置に載置される。因みに、一端部または両端部を自由にされた商品保持ベルト１１ｇは商品Ｇの排出に従って梱包箱１１の外部に押し出される。
【００２１】
このように前述の梱包箱１１によれば、出口として使用される側の外蓋部１１ｆ及び内蓋部１１ｅを開放した後にこの開放口が斜め下を向くように梱包箱１１を傾けてから商品保持ベルト１１ｇの少なくとも一方の止着を解くことにより、商品保持ベルト１１ｇによって移動を阻止されていた収納商品Ｇを滑動させ、商品Ｇ全体を梱包箱１１から排出して商品陳列棚ＳＢに載置することができる。勿論、缶入り飲料以外の商品、例えば、瓶入り飲料やペットボトル入り飲料等の商品の場合も前記同様の梱包形態を採用すれば、前記同様の商品陳列作業を行うことができる。
【００２２】
つまり、商品陳列棚ＳＢに収納商品Ｇを載置する作業を簡単且つ短時間で行うことできるので、収納商品Ｇを手で取り出して商品陳列棚に載置する作業を繰り返す必要があった従来の陳列方法に比べ、陳列すべき商品の数及び種類が多い場合でも陳列作業に要する労力と時間を格段低減することができ、ひいては労働力の削減による経費節減並びに利益向上を図ることができる。
【００２３】
尚、前述の梱包箱１１では、梱包箱１１からの商品排出に滑りを併用するため、収納商品Ｇの下面と向き合う面１１ｂの摩擦抵抗が高い場合には、図１３に示すように、収納商品Ｇの下面と面１１ｂとの間に、プラスチック薄板板や金属薄板や光沢表面を有する厚紙等から成る低摩擦抵抗の滑り促進材１２を配置するとよい。
【００２４】
また、前述の梱包箱１１では、商品保持ベルト１１ｇの一端部及び他端部を出口側から離れた位置で外部に引き出して止着するものを示したが、商品保持ベルト１１ｇとして短いものを用いてその一端部及び他端部を出口側に近い位置で外部に引き出して止着するようにしても、また、商品保持ベルト１１ｇの一端部を出口側から離れた位置で外部に引き出し且つ他端部を出口側に近い位置で外部に引き出してそれぞれ止着するようにしても、前記同様の商品陳列作業を行うことができる。
【００２５】
さらに、前述の梱包箱１１では、商品保持ベルト１１ｇの一端部を面１１ｃに設けた孔１１ｃ１から外部に引き出すと共に他端部を面１１ｄに設けた孔１１ｄ１から外部に引き出したものを示したが、図１４に示すように、商品保持ベルト１１ｇの一端部を出口側とは反対側の内蓋部１１ｅに設けた孔１１ｅ１から外部に引き出すと共に他端部を同じ内蓋部１１ｅに設けた孔１１ｅ１から外部に引き出して、各々の引き出し部分を止め材１１ｈによって面１１ｃ，１１ｄの外面に止着するようにしても構わない。
【００２６】
さらに、前述の梱包箱１１では、出口として使用される側の外蓋部１１ｆ及び内蓋部１１ｅを開放するものを示したが、図１５（Ａ）に示すように、出口として使用される側の外蓋部１１ｆ及び内蓋部１１ｅの近傍位置に、面１１ａ，１１ｂ，１１ｃ，１１ｄを一回りするようなミシン目等の切取線１１ｊを２本または１本形成しておき、この切取線１１ｊに沿って梱包箱１１を切り裂くことで図１５（Ｂ）に示すように内蓋部１１ａ及び外蓋部１１ｆを簡単に取り外せるようにした構成を採用してもよい。この場合には、前記の切り裂きを簡便に行うために切取線１１ｊの内側に紐やテープ等の線材（図示省略）を付設しておきその一端を梱包箱１１の外部に引き出しておくとよい。
【００２７】
【発明の効果】
以上詳述したように、本発明によれば、商品陳列棚に収納商品を載置する作業を簡単且つ短時間で行うことできるので、収納商品を手で取り出して商品陳列棚に載置する作業を繰り返す必要があった従来の陳列方法に比べ、陳列すべき商品の数及び種類が多い場合でも陳列作業に要する労力と時間を格段低減することができ、ひいては労働力の削減による経費節減並びに利益向上を図ることができる。
【図面の簡単な説明】
【図１】従来の梱包箱の斜視図
【図２】図１の横断面図
【図３】図２のａ−ａ線断面図
【図４】従来の梱包箱から収納商品を取り出す様子を示す斜視図
【図５】本発明を適用した梱包箱の斜視図
【図６】図５の横断面図
【図７】図６のｂ−ｂ線断面図
【図８】図５に示した梱包箱の出口側を開放した状態を示す斜視図
【図９】図５に示した梱包箱を利用して水平な商品陳列棚に商品を載置する手順を示す図
【図１０】図５に示した梱包箱を利用して水平な商品陳列棚に商品を載置する手順を示す図
【図１１】図５に示した梱包箱を利用して傾斜した商品陳列棚に商品を載置する手順を示す図
【図１２】図５に示した梱包箱を利用して傾斜した商品陳列棚に商品を載置する手順を示す図
【図１３】図５に示した梱包箱の変形例を示す縦断面図
【図１４】図５に示した梱包箱の他の変形例を示す横断面図
【図１５】図５に示した梱包箱のさらに他の変形例を示す斜視図及び梱包箱開放状態を示す斜視図
【符号の説明】
１１…梱包箱、１１ｅ…内蓋部、１１ｆ…外蓋部、１１ｇ…商品保持ベルト、１１ｈ…止め材、１１Ｊ…切り取り線、Ｇ…商品、ＳＢ…商品陳列棚、１２…滑り促進材。
【図１】
2004299721.tif 000003
【図２】
2004299721.tif 000004
【図３】
2004299721.tif 000005
【図４】
2004299721.tif 000006
【図５】
2004299721.tif 000007
【図６】
2004299721.tif 000008
【図７】
2004299721.tif 000009
【図８】
2004299721.tif 000010
【図９】
2004299721.tif 000011
【図１０】
2004299721.tif 000012
【図１１】
2004299721.tif 000013
【図１２】
2004299721.tif 000014
【図１３】
2004299721.tif 000015
【図１４】
2004299721.tif 000016
【図１５】
2004299721.tif 000017